(57)【要約】【課題】画像信号の順番を変更するための回路を設けることなく、回路間の接続配線数を少なくするための駆動回路を有する電気光学装置を実現する。【解決手段】画素のマトリックスを有する電気光学装置の駆動回路は、セレクタと、マルチプレクサを含む。セレクタは、複数の画像信号を入力し、複数の画像信号の中から一つの画像信号を選択して出力するセレクタ回路を複数有する。マルチプレクサは、セレクタ回路毎に対応して設けられ、セレクタ回路からの画像信号を、複数のスイッチ回路を介して、マトリックスの複数のデータ線に供給するためのマルチプレクサ回路を複数有する。そして、選択信号に基づいて、セレクタ回路の夫々から出力される画像信号の選択と、マルチプレクサ回路の夫々から対応する複数のデータ線に供給される前記画像信号の選択とが行われる。【選択図】　図２
2004012634.tif 000002
【特許請求の範囲】
【請求項１】
画素のマトリックスを有する電気光学装置の駆動回路であって、
複数の画像信号を入力し、該複数の画像信号の中から一つの前記画像信号を選択して出力するセレクタ回路を複数有するセレクタと、
前記セレクタ回路毎に対応して設けられ、前記セレクタ回路からの前記画像信号を、複数のスイッチ回路を介して、前記マトリックスの複数のデータ線に供給するためのマルチプレクサ回路を複数有するマルチプレクサと、
を有し、選択信号に基づいて、前記セレクタ回路の夫々から出力される前記画像信号の選択と、前記マルチプレクサ回路の夫々から対応する前記複数のデータ線に供給される前記画像信号の選択とが行われるようにしたことを特徴とする電気光学装置の駆動回路。
【請求項２】
前記セレクタには、１ライン分の画素数の前記画像信号が入力されることを特徴とする請求項１に記載の電気光学装置の駆動回路。
【請求項３】
ラッチ回路を有し、該ラッチ回路は、前記セレクタに１ライン分の画素数の前記画像信号を供給することを特徴とする請求項１又は請求項２に記載の電気光学装置の駆動回路。
【請求項４】
請求項１、請求項２又は請求項３に記載の駆動回路を有する電気光学装置。
【請求項５】
請求項１、請求項２又は請求項３に記載の駆動回路を有する電子機器。
【請求項６】
画素のマトリックスを有する電気光学装置の駆動方法であって、
複数の画像信号を入力し、選択信号に基づいて、前記複数の画像信号の中から予め決められた複数の画像信号を選択して出力し、
出力された前記画像信号を、前記予め決められた複数の選択信号に基づいて、複数のスイッチ回路を介して、前記マトリックスの複数のデータ線に供給するようにしたことを特徴とする電気光学装置の駆動方法。
【請求項７】
前記複数の画像信号は、１ライン分の画素をラッチするラッチ回路から入力されることを特徴とする請求項６に記載の電気光学装置の駆動方法。
【発明の詳細な説明】
【０００１】
【発明の属する技術分野】
本発明は、電気光学装置の駆動回路、電気光学装置、電子機器及び電気光学装置の駆動方法に関する。
【０００２】
【従来の技術】
従来より、液晶表示装置等のマトリックス構成のディスプレイ装置が、広く利用されている。そして、電気光学装置であるディスプレイ装置の高品質化も進んでいる。特に、ディスプレイ装置の高精細化が進み、その高精細化に伴い、種々の改良が行われているが、各画素回路を駆動するためのいわゆるドライバ回路の改良も行われている。
【０００３】
その改良の一つに、特開昭６１−１４５５９７号公報に開示の技術がある。その公報に開示された技術によれば、複数のソース信号線を一つの組にして、ソース信号線群を複数の組に分け、各組内のソース信号線を順番に選択する選択信号を供給するように、回路が構成される。そして、組単位で画像信号を供給し、かつ各組に対応するソース信号線をその選択信号によって選択するような構成にすることによって、回路間の接続配線数を少なくするものである。その結果、ディスプレイ装置の高精細化に伴い、画素数が増えても、回路間の接続配線本数が増えることが無い。
【０００４】
【発明が解決しようとする課題】
しかし、特開昭６１−１４５５９７号公報には、その開示の技術を実現しようとすると、組単位で供給する画像信号の順番を変更するための回路を設け、その順番が変更された画像信号を各組に供給しなければならないが、そのために画像信号をどのように処理するかの回路構成は開示されていない。
【０００５】
【課題を解決するための手段】
そこで、本発明は、画像信号の順番を変更するための回路を設けることなく、回路間の接続配線数を少なくするための回路を有する電気光学装置の駆動回路を提供することを目的とする。
【０００６】
本発明の電気光学装置の駆動回路は、複数の画像信号を入力し、該複数の画像信号の中から一つの前記画像信号を選択して出力するセレクタ回路を複数有するセレクタと、前記セレクタ回路毎に対応して設けられ、前記セレクタ回路からの前記画像信号を、複数のスイッチ回路を介して、前記マトリックスの複数のデータ線に供給するためのマルチプレクサ回路を複数有するマルチプレクサとを有する。そして、選択信号に基づいて、前記セレクタ回路の夫々から出力される前記画像信号の選択と、前記マルチプレクサ回路の夫々から対応する前記複数のデータ線に供給される前記画像信号の選択とが行われる。
【０００７】
本発明の電気光学装置は、本発明の駆動回路を有する。
【０００８】
本発明の電子機器は、本発明の駆動回路を有する。
【０００９】
また、本発明の電気光学装置の駆動方法は、複数の画像信号を入力し、選択信号に基づいて、前記複数の画像信号の中から予め決められた複数の画像信号を選択して出力し、出力された前記予め決められた複数の画像信号を、前記選択信号に基づいて、複数のスイッチ回路を介して、前記マトリックスの複数のデータ線に供給するようにした。
【００１０】
このような構成によれば、画像信号の順番を変更するための回路を設けることなく、回路間の接続配線数を少なくするための回路を有する電気光学装置を実現することができる。
【００１１】
また、本発明の電気光学装置の駆動回路では、前記セレクタには、１ライン分の画素数の前記画像信号が入力されることが望ましい。
【００１２】
また、本発明の電気光学装置の駆動回路では、ラッチ回路を有し、該ラッチ回路は、前記セレクタに１ライン分の画素数の前記画像信号を供給することが望ましい。
【００１３】
また、本発明の電気光学装置の駆動方法では、前記複数の画像信号は、１ライン分の画素をラッチするラッチ回路から入力されることが望ましい。
【００１４】
このような構成によれば、入力された画像信号をそのまま利用することができる。
【００１５】
【発明の実施の形態】
以下、図面を参照して本発明の実施の形態を説明する。
【００１６】
まず、図１に基づき、本実施の形態に係わるディスプレイ装置の構成を説明する。図１は、本実施の形態に係わる電子機器であるディスプレイ装置の構成を示すブロック図である。本実施の形態は、ディスプレイ装置として薄膜トランジスタ（以下、ＴＦＴという）を用いた電気光学装置である液晶表示装置の例である。
【００１７】
１は、ＴＦＴ素子基板であり、映像表示領域である画素部２、マルチプレクサ３及びＹドライバ４を含む。画素部２は、ｎ行ｍ列（ｎ、ｍは整数）の画素を含むマトリックス表示部であり、マトリックス配線のＸ方向にｍ個でＹ方向にｎ個のｍ×ｎの画素マトリックスを形成する。画素部２、マルチプレクサ３及びＹドライバ４は、ＴＦＴ素子基板１上に設けられている。５は、外部駆動回路としてのドライバＩＣである。６は、ＴＦＴ素子基板１及びドライバＩＣ２を制御するタイミング制御回路である。７は、ドライバＩＣ２のドライバ部から出力される信号線群である。画素部２は、周辺に設けられた駆動回路である、マルチプレクサ部３、Ｙドライバ４、ドライバＩＣ５及びタイミング制御回路６によって駆動される。
【００１８】
画像データＤＡＴＡ、ラッチタイミング信号ＬＰ、シフトレジスタのスタート信号ＳＴ、データクロック信号ＣＬＸ、及び選択信号であるセレクト信号Ｓ１、Ｓ２、Ｓ３が、タイミング制御回路６からドライバＩＣ５へ供給される。タイミング制御回路６から、ＴＦＴ回路基板１へは、Ｙドライバのスタート信号ＤＹ、ラインのシフト信号ＣＬＹが供給される。
【００１９】
なお、図１では、後述する図２に示すシフトレジスタ部１１、第１及び第２のラッチ回路１２、１３、セレクタ部１４及びドライバ１５が、ドライバＩＣ５に含まれているが、これらの全てあるいは一部を、ＴＦＴ素子基板１に含まれるようにしてもよい。
【００２０】
図２は、ＴＦＴ回路基板１とドライバＩＣ５の回路構成を示す図である。１１は、シフトレジスタ部であり、１２は、第１のラッチ回路であり、１３は、第２のラッチ回路であり、１４は、セレクタ部であり、１５は、ドライバ部であり、これらの回路は、ドライバＩＣ５に含まれる。
【００２１】
シフトレジスタ部１１には、クロック信号ＣＬＸとスタート信号ＳＴが入力される。スタート信号ＳＴは、クロック信号ＣＬＸに応じてシフトレジスタ部１１内を順番にシフトしていく。シフトレジスタ部１１の各単位レジスタからの出力信号は、第１のラッチ回路１２の各単位ラッチ回路に入力される。一方、画像信号である画像データＤＡＴＡは、同時に全ての単位ラッチ回路に供給されている。単位レジスタからの出力信号が入力されると、画像データＤＡＴＡは、第１のラッチ回路１２の各単位ラッチ回路に順番にストアされていく。画像データＤＡＴＡは、例えば、６ビットのディジタル信号である。従って、１ライン分、すなわち１水平走査線分のｍ個の画像データが第１のラッチ回路１２にストアされるように構成されている。
【００２２】
第２のラッチ回路１３は、第１のラッチ回路１２の画像データＤＡＴＡをそのままラッチする回路である。従って、第２のラッチ回路１３には、１ライン分のデータであるｍ個のデータがラッチされる。
【００２３】
セレクタ部１４は、複数のセレクタ回路１４（１）、１４（２）、・・、１４（ｋ）からなる。１ライン分の画像データＤＡＴＡを、１ライン分のデータの先頭あるいは終端から、連続した３つずつのデータに区切って分割することによって、複数の組を形成し、各組の３つのデータは、対応する各セレクタ回路に入力されている。具体的には、セレクタ回路１４（１）には、画像データＤＡＴＡの１、２、３が入力され、セレクタ回路１４（２）には、画像データＤＡＴＡの４、５、６が入力され、セレクタ回路１４（ｋ）には、画像データＤＡＴＡのｍ−２、ｍ−１、ｍが入力される。セレクタ部１４には、セレクト信号Ｓ１、Ｓ２、Ｓ３が供給され、各セレクタ回路は、セレクト信号Ｓ１、Ｓ２、Ｓ３に応じて、３つの入力画像データの中から予め決められた１つの画像データを選択して出力信号として、ドライバ部１５の対応するドライバ回路へ供給する。
【００２４】
ドライバ部１５は、複数のドライバ回路１５（１）、１５（２）、・・、１５（ｋ）からなる。例えば、セレクト信号Ｓ１が供給されたときは、セレクタ回路１４（１）からは、画像データＤＡＴＡ１がドライバ回路１５（１）へ出力され、セレクタ回路１４（２）からは、画像データＤＡＴＡ４がドライバ回路１５（２）へ出力され、セレクタ回路１４（ｋ）からは、画像データＤＡＴＡｍ−２がドライバ回路１５（ｋ）へ出力される。各ドライバ回路は、ディジタルアナログ変換器、増幅回路等を含む。
【００２５】
アナログ信号に変換された、各ドライバ回路からの画像信号は、ソース線群７を介して、マルチプレクサ部３の対応するマルチプレクサ回路へ供給される。マルチプレクサ部３は、複数のマルチプレクサ回路３（１）、３（２）、・・、３（ｋ）からなる。各マルチプレクサ回路は、３つのスイッチ回路ＳＷ１、ＳＷ２、ＳＷ３を有する。各ドライバ回路からの供給された画像信号は、対応するマルチプレクサ回路の３つのスイッチ回路ＳＷ１、ＳＷ２、ＳＷ３の一端へ供給される。出力となる、各スイッチ回路の他端は、画素部２のＸ方向のソース線群７の対応するソース線に接続される。マルチプレクサ部３には、各スイッチ回路をオン・オフするセレクト信号Ｓ１、Ｓ２、Ｓ３が供給される。マルチプレクサ部３は、セレクト信号Ｓ１、Ｓ２、Ｓ３に応じて、予め決められたスイッチ回路の一つをオンにして、対応するドライバ回路からの画像信号を対応するソース線に供給する。
【００２６】
例えば、セレクト信号Ｓ１が供給されたときは、マルチプレクサ回路３（１）のスイッチ回路ＳＷ１がオンとなって、画像データＤＡＴＡ１に対応する画像信号が、ソース線Ｘ１へ出力される。同様に、マルチプレクサ回路３（２）のスイッチ回路ＳＷ１もオンとなって、画像データＤＡＴＡ４に対応する画像信号が、ソース線Ｘ４へ出力される。同様に、マルチプレクサ回路３（ｋ）のスイッチ回路ＳＷ１もオンとなって、画像データＤＡＴＡｍ−２に対応する画像信号が、ソース線Ｘｍ−２へ出力される。
【００２７】
また、例えば、セレクト信号Ｓ２が供給されたときは、マルチプレクサ回路３（１）のスイッチ回路ＳＷ２がオンとなって、画像データＤＡＴＡ２に対応する画像信号が、ソース線Ｘ２へ出力される。同様に、マルチプレクサ回路３（２）のスイッチ回路ＳＷ２もオンとなって、画像データＤＡＴＡ５に対応する画像信号が、ソース線Ｘ５へ出力される。同様に、マルチプレクサ回路３（ｋ）のスイッチ回路ＳＷ２もオンとなって、画像データＤＡＴＡｍ−１に対応する画像信号が、ソース線Ｘｍ−１へ出力される。
【００２８】
さらに、セレクト信号Ｓ３が供給されたときは、マルチプレクサ回路３（１）のスイッチ回路ＳＷ３がオンとなって、画像データＤＡＴＡ３に対応する画像信号が、ソース線Ｘ３へ出力される。同様に、マルチプレクサ回路３（２）のスイッチ回路ＳＷ３もオンとなって、画像データＤＡＴＡ６に対応する画像信号が、ソース線Ｘ６へ出力される。同様に、マルチプレクサ回路３（ｋ）のスイッチ回路ＳＷ３もオンとなって、画像データＤＡＴＡｍに対応する画像信号が、ソース線Ｘｍへ出力される。
【００２９】
以上のように、各マルチプレクサ回路は、セレクト信号に応じて予め決められたスイッチ回路をオンするように切替えることによって、各ドライバ回路からの画像信号を順次選択して対応するソース線へ出力する。このとき、セレクト信号は、各マルチプレクサ回路の予め決められたスイッチ回路を同時にオンするように切替えるので、各マルチプレクサ回路の出力は、それぞれの対応するソース線に同時に供給される。
【００３０】
なお、図２において、１６は、各画素に対応するＴＦＴであり、１７は、ＴＦＴ１６のドレインに電気的に接続された透明電極と、透光性基板上の透明電極との間に注入された液晶が形成する容量を示す。Ｙドライバ４は、ｎ本のゲート線Ｙ１、Ｙ２、・・、Ｙｎによって、画素部２と接続されている。各ゲート線は、各行の全てのＴＦＴ１６のゲートに接続されている。ゲート線にゲート信号が供給されているときに、対応する行の１ライン分の画像信号が、画素部２へ供給される。
【００３１】
次に図３を用いて、上述した回路構成における信号の状況を説明する。図３は、図２の回路構成のタイミングチャートである。
【００３２】
図３において、ＳＴは、シフトレジスタ１１への動作開始を示すスタート信号のパルスである。ＣＬＸは、データクロック信号のパルスである。ＤＡＴＡは、画像データの信号である。ＬＰは、第１のラッチ回路１２にストアされたデータを第２のラッチ回路１３に転送するラッチタイミング信号のパルスである。Ｓ１、Ｓ２、Ｓ３は、セレクト信号のパルスである。ＹＬ−１とＹＬは、それぞれ、スタート信号ＤＹ及びシフト信号ＣＬＹに基づいてＹドライバ４によって生成されたＬ−１行目とＬ行目のゲート信号である。ここで、Ｌは整数である。
【００３３】
ｎ行の内、Ｌ−１行目のゲート線が選択されると、図３に示すような信号波形のゲート信号ＹＬ−１が対応するゲート線ＹＬ−１に出力される。ゲート信号ＹＬ−１がＨＩＧＨになるので、ＹＬ−１行目のＴＦＴ１６のゲートがオンとなる。このとき、スタート信号ＳＴに続いて、データクロックＣＬＸがシフトレジスタ部１１に入力されるので、シフトレジスタ部１１の出力に応じて、画像データＤＡＴＡ１、２、・・、ｍが、第１のラッチ回路１２に入力されていく。ｍ個の画像データＤＡＴＡが第１のラッチ回路１２にラッチされると、ラッチタイミング信号ＬＰのタイミングで、第１のラッチ回路１２から第２のラッチ回路１３へ画像データが転送される。
【００３４】
一方、ゲート信号ＹＬ−１がゲート線ＹＬ−１に出力されているとき、セレクト信号Ｓ１、Ｓ２、Ｓ３のパルス信号が順次出力される。Ｓ１のパルス信号が出力されているときには、既に第２のラッチ回路１３にラッチされている、各セレクタ回路の１番目に対応する画像データが選択され、かつマルチプレクサの１番目のスイッチＳＷ１がオンとなって、対応するソース線Ｘ１、Ｘ４、・・、Ｘｍ−２に画像信号が同時に供給される。セレクト信号Ｓ１のパルス信号に続いて、セレクト信号Ｓ２が出力される。Ｓ２のパルス信号が出力されているときには、同様に、各セレクタ回路の２番目に対応する画像データが選択され、かつマルチプレクサの２番目のスイッチＳＷ２がオンとなって、対応するソース線Ｘ２、Ｘ５、・・、Ｘｍ−１に画像信号が同時に供給される。セレクト信号Ｓ２のパルス信号に続いて、セレクト信号Ｓ３が出力される。Ｓ３のパルス信号が出力されているときには、同様に、各セレクタ回路の３番目に対応する画像データが選択され、かつマルチプレクサの３番目のスイッチＳＷ３がオンとなって、対応するソース線Ｘ３、Ｘ６、・・、Ｘｍに画像信号が同時に供給される。
【００３５】
このようにして、ゲート信号ＹＬ−１が、ゲート信号線ＹＬ−１において、ＨＩＧＨである１水平走査期間内に、連続して分けて出力される３つのセレクト信号Ｓ１、Ｓ２、Ｓ３に基づいて、１ラインの画像信号が３回に分けて対応する複数のソース線に供給される。
【００３６】
１水平走査ラインの表示が終了すると、ゲート信号ＹＬが、ゲート信号線ＹＬに出力される。ＹＬ行目においても、ＹＬ−１行目と同じように、セレクト信号Ｓ１、Ｓ２、Ｓ３に基づいて、１水平走査期間内に、１ラインの画像信号が３回に分けて対応する複数のソース線に供給される。
【００３７】
そして、以下同様に、各行について同様の処理が行なわれることによって、ディスプレイ装置におけるｎ行ｍ列（ｎ、ｍは整数）のマトリックス表示を行うことができる。
【００３８】
以上説明したように、本実施の形態によれば、画像信号の順番を入れ替えることなく、簡単な回路構成で回路間の接続配線数を少なくするための駆動回路を有する電気光学装置を実現することができる。具体的には、Ｙドライバによって選択されているあるライン上のある画素用のデータを、セレクト信号に基づいて各セレクタ回路は選択して出力し、さらに対応するマルチプレクサ回路は、そのセレクト信号に基づいてその画素用の画像信号を対応するソース線に出力する。
【００３９】
なお、以上の説明では、ラッチ回路の３つの出力を１組とし、マルチプレクサ回路の出力も３つとして説明したが、本発明はこれに限定されることなく、ラッチ回路及びマルチプレクサ回路において、２つの出力、あるいはより多くの出力を、１組としてもよい。その場合、セレクト信号の種類は、１組に含まれる出力の数だけ、セレクタ部及びマルチプレクサ部に供給される。
【００４０】
また、カラーディスプレイ装置の場合は、画像信号と画素の色対応を付ければ、本実施の形態の構成を適用することができる。
【００４１】
また、以上の説明は、液晶表示装置の例であるが、本発明は、マトリックス構成の、有機ＥＬ（エレクトロルミネッセンス）のディスプレイ装置、電気泳動ディスプレイ装置等にも適用することができる。
【００４２】
本発明は、上述した実施の形態に限定されるものではなく、本発明の要旨を変えない範囲において、種々の変更、改変等が可能である。
【００４３】
【発明の効果】
以上説明したように、本発明によれば、画像信号の順番を変更するための回路を設けることなく、回路間の接続配線数を少なくするための駆動回路を有する電気光学装置を実現することができる。
【図面の簡単な説明】
【図１】本発明の実施の形態に係わるディスプレイ装置の構成を示すブロック図である。
【図２】本発明の実施の形態に係わるＴＦＴ回路基板とドライバＩＣの回路構成を示す図である。
【図３】図２の回路構成のタイミングチャートである。
【符号の説明】
１・・・ＴＦＴ素子基板
２・・・画素部
３・・・マルチプレクサ部
４・・・Ｙドライバ部
５・・・ドライバＩＣ
６・・・タイミング制御回路
７・・・ソース線群
１１・・・シフトレジスタ部
１２・・・第１のラッチ回路
１３・・・第２のラッチ回路
１４・・・セレクタ部
１５・・・ドライバ部
１６・・・ＴＦＴ
１７・・・容量
【図１】
2004012634.tif 000003
【図２】
2004012634.tif 000004
【図３】
2004012634.tif 000005